(57)【要約】【課題】１個のカバーで大きさ（高さ）の異なるティッシュペーパーボックスを収納できるようにする。【構成】ティッシュペーパーの取り出し口２を具えた上面部３と、四側面部４、５と、底面部６とを一体に連続させたほぼ箱形のカバー１を、柔軟性と伸縮性とに富む編み地を用いて縫製し、このカバー１内に、上記上面部３の取り出し口２から大、中、小と高さ（Ｈ１、Ｈ２、Ｈ３）の異なるティッシュペーパーボックスを収容できるようにしたことを特徴とするティッシュペーパーボックス用カバーを提供する【選択図】        図１
2004267435.tif 000002
【特許請求の範囲】
【請求項１】
ティッシュペーパーの取り出し口を具えた上面部と、四側面部と、底面部とを一体に連続させたほぼ箱形のカバーを、柔軟性と伸縮性とに富む編み地を用いて縫製し、このカバー内に、上記上面部の取り出し口から大、中、小と高さの異なるティッシュペーパーボックスを収容できるようにしたことを特徴とするティッシュペーパーボックス用カバー。
【発明の詳細な説明】
【０００１】
【産業上の利用分野】
本発明は、例えば、家庭内等で日常的に使用されているティッシュペーパーボックスのカバーに関し、幅と長さをほぼ等しくし、高さのみを変えて異なる大きさに形成したティッシュペーパーボックスの大、中、小の何れも収容できるようにしたことを特長とするものである。
【０００２】
【従来の技術】
本願の先行技術としては、上下両面を開放して筒状に伸縮性繊維を編み、上下の縁に、弾性体（ごむ紐）をそれぞれ一体に備えて、内部にティッシュペーパーボックスを収容できるようにしたカバーがある（例えば、特許文献１参照）。
この特許文献１のように筒形に形成したティッシュペーパーボックスのカバーは、上下方向の伸縮性が少ないので、一定の高さを具えた大きさのティッシュペーパーボックスに被せることができるが、最近の傾向として高さを高、中、低に変えて販売されているティッシュペーパーボックスのすべてには適合し難い。特に、決められた範囲を超える高いボックスには被せられない欠点があり、無理に被せた場合には使用中に上面部または底面部がボックスの縁から外れるおそれがある。
【０００３】
【特許文献１】
実用新案登録第３０４３３８９号公報  （第１頁、図１）
【０００４】
【発明が解決しようとする課題】
以上のことから本発明が解決しようとする課題は、１個のカバーで、高さを高、中、低に変えたすべてのティッシュペーパーボックスを安定良く収容できるようにすることにある。
【０００５】
【課題を解決するための手段】
そこで本発明は、ティッシュペーパーの取り出し口を具えた上面部と、四側面部と、底面部とを一体に連続させた箱形のカバーを、柔軟性と伸縮性とに富む編み地を用いて縫製し、このカバー内に、上記上面部の取り出し口から大、中、小と高さの異なるティッシュペーパーボックスを収容できるようにしたことを特徴とするティッシュペーパーボックス用カバーを提供するものである。
【０００６】
上記のように構成した本発明カバーは、例えば図１に示すように、上面部の取り出し口にティッシュペーパーボックスの端面部を当てて、該取り出し口の縁の柔軟性、伸縮性を利用して拡開させながら該端面部を取り出し口内に押し入れると、ボックスの端面部の大きさに応じて四側面部とともに底面部と上面部とが拡開して、該端面部をカバー内に収容させることができる。このボックスの前端部の挿入に続いて取り出し口の後縁を拡開させながらボックスの後側を取り出し口内に挿入すると、前記四側面部とともに底面部と上面部とが前後でほぼ均等に伸長し、カバー内にティッシュペーパーボックスを容易に、かつ、完全に収納することができる。
なお、図２に示すように、高さＨ３が最大の端面部を備えたティッシュペーパーボックスの場合も、四側面部と底面部と上面部とが前後でほぼ均等に伸長してボックスの大きさに各部の伸びを対応させる。したがって、１個のカバーで大きさ（高さ）の異なるティッシュペーパーボックスを収納できる。本発明は上記のようにして前記の課題を解決したものである。
【０００７】
【実施例】
以下に本発明の実施例を図面について説明する。
図１は、本発明の実施例をその装着方法の一例とともに示す斜視図、図２は、実施例が対応できるティッシュペーパーボックスの大きさを説明する端面図である。
【０００８】
実施例を示す図において、１は柔軟性と伸縮性とに富む編み地で、縦長の取り出し口２を中央に具えた上面部３と、短径方向の側面部４と、長径方向の側面部５と、底面部６を一体に連続して適宜の大きさの中空箱型に縫製したカバー、１’はその角部、７は縫合線、８は適宜位置に配置した彩色柄模様である。
【０００９】
実施例のカバー１は、図２に示すように、短径の長さ（Ｂ１、Ｂ２、Ｂ３）を互いにほぼ一定に具え、高さ（Ｈ１、Ｈ２、Ｈ３）を変えた大、中、小のティッシュペーパーボックスを収容することができる。
カバー１に対するティッシュペーパーボックスの装着は、前述のように、上面部３の取り出し口２にティッシュペーパーボックスの前端面部を挿入し、取り出し口２の前縁２’の柔軟性、伸縮性を利用して拡開させながら該端面部を取り出し口２内に押し入れると、ボックスの大きさに応じて四側面部４、５とともに底面部６と上面部３とが拡開して、ボックスの前端面部をカバー１内に収容できる。上記のようにして前端面部を挿入する操作に続いて、取り出し口２の後縁２”を拡開させながら該ボックスの後端面部を取り出し口２内に挿入すると、前記四側面部４、５とともに底面部６と上面部３とが前後の端面部でほぼ均等に伸長した状態となり、ティッシュペーパーボックス全体をカバー１内に完全に、かつ、容易に収納させることができる。
【００１０】
上記のようにして、ティッシュペーパーボックスの前端部と後端部がカバー１内に挿入されると、該ボックスの裏面は、４辺を伸長させたカバー１の底面部分６に密着し、四側面は四側面部４、５に密着して容易にはカバー１が外れない。そして、カバーの装着とともに、上面部３の取り出し口２の位置とティッシュペーパーボックス側のペーパー取り出し口とが整合する。
なお、ティッシュペーパーボックスの端面部がほぼ箱型に縫製したカバー１の側面部４の大きさを上回る場合には、隣接する他側面部５、上面部３、底面部６側の生地が伸長して箱型をなす角部１’を潰すようにして大きさの不足分を補う。ティッシュペーパーボックスとカバー１との装着は、上記の挿入方法に限らず、例えば、取り出し口２の横からの挿入もあり得ることは言うまでもない。また、カバー１を被せるティッシュペーパーボックスは、殆どの場合、短径（Ｂ１、Ｂ２、Ｂ３）と長径に変りがなく、高さ（Ｈ１、Ｈ２、Ｈ３）を変えることによりボックスの大きさを変えている。
【００１１】
実施例には、地糸に２８番単糸のアクリルウール混紡糸を用い、裏糸に２０×７０デニールのナイロンウレタン糸を用い、柄糸に１１０デニール双糸のナイロン糸を用いて、３．１／２インチ×１６０Ｎの柄編機で編み下ろした生地を６８センチメートルに熱処理し、長さ方向に直線で切り開いて幅約１７センチメートルの帯状生地を得る。この帯状生地を裁断して長さ約２８センチメートルの２枚の身頃生地を取り、上面部分となる身頃生地の一方の長辺をオーバーロックして取り出し口の縁を形成し、次いでオーバーロックした２枚の身頃生地を重ねて両端をそれぞれ５センチメートルずつオーバーロックし、約１８センチメートルの取り出し口を形成した後、先にオーバーロックした取り出し口の両側縁を約８ミリメートル折り込んで本縫いし、取り出し口の縁処理を終わる。
【００１２】
次いで、身頃生地の他方の長辺を重ねてオーバーロックして、中央に縫合線７を具えた底面部分を形成した後、両端の短辺をオーバーロックして、２枚の身頃生地を扁平な袋状に縫合し、さらに、四つ角をそれぞれ約５センチメートルオーバーロックしてマチをとり、各マチの両端に上面部３と底面部６の角部１’となる尖り部分を形成させて、上面部３、四側面部４、５、底面部６及び角部１’具えて一体に連続するほぼ箱型のカバーの縫製を終わる。
なお、本発明カバーに使用する糸ならびに編み方と、裁断と縫製方法は、上記した縫製工程に限らず、本発明の要旨に沿って適宜に変更できる。
【００１３】
【発明の効果】
前記のように構成し、上記のように用いられるようにした本発明カバーは、縫製した素材の柔軟性、伸縮性を利用して一つのカバーで大きさ（高さ）の異なるティッシュペーパーボックスを安定良く、かつ、操作も容易に収容できるのできわめて有用である。
【図面の簡単な説明】
【図１】図１は、本発明の実施例をその使用状態とともに示す縦断正面図
【図２】図２は、実施例に収容されるボックスの端面図である。
【符号の説明】
１  カバー    （１’  角部）
２  取り出し口    （２’  前縁、２”  後縁）
３  上面部
４  側面部
５  側面部
６  底面部
７  縫合線
８  柄模様
【図１】
2004267435.tif 000003
【図２】
2004267435.tif 000004